(57)【特許請求の範囲】
【請求項１】
円筒状のケーシング本体の外周面にその両端部を除いて螺旋状に巻き付けて固定した銅パイプと、該銅パイプの前記両端部の各所定部位に断熱性のインシュレーションホースを嵌合被覆した状態にて前記ケーシング本体の外周に一体的に発泡成形された断熱発泡材とにより構成した冷凍ケーシングにおいて、
前記銅パイプの螺旋状に巻き付けられた部分から離間した両端部の各所定部位に巻き付けて接着した断熱性テープに前記インシュレーションホースの接続端部を位置決め固定して、同インシュレーションホースの接続端部と前記断熱性テープの一部及び同断熱性テープの内側に位置する前記銅パイプの各端部が前記断熱発泡材に接着された部分にて外気の侵入が阻止されるようにしたことを特徴とする冷凍ケーシング。
【請求項２】
前記断熱性テープとして、接着剤付きの柔軟性断熱材からなるテープを使用したことを特徴とする請求項１に記載の冷凍ケーシング。
【発明の詳細な説明】
【０００１】
【発明の属する技術分野】
本発明は、冷凍ケーシング、例えばオーガ式製氷機の冷凍系に使用し得る冷凍ケーシング（円筒状の熱交換器）に関する。
【０００２】
【従来の技術】
オーガ式製氷機の冷凍系に使用する冷凍ケーシングは、従来、図２に示したように、円筒状のケーシング本体１の外周に銅パイプ２を両端部を除いて螺旋状に巻き付け固定した後（巻き付けた部位は一般にはんだ等によりろう付け固定されている）に、銅パイプ２の両端部の所定部位を除いて銅パイプ２の外側を断熱発泡材３（例えば、発泡ウレタン）で被覆するようになっており、断熱発泡材３の発泡被覆前に銅パイプ２の両端からインシュレーションホース４が嵌合被覆されるようになっている。なお、断熱発泡材３での被覆は、銅パイプ２を巻き付け固定しかつ銅パイプ２にインシュレーションホース４を嵌合した状態のケーシング本体１を所定の型（図示省略）にセットした後に、同型内に断熱発泡材３を注入して発泡させることにより行われている。
【０００３】
また、冷凍ケーシングは、例えば実公平５−８４２６号公報にて周知のように、ケーシング本体１内に駆動装置（図示省略）によって回転駆動されるオーガ（図示省略）が組付けられ、ケーシング本体１の上端に押圧頭、カッター、氷放出路等（図示省略）が組付けられ、ケーシング本体１とオーガの下部間に水密用メカニカルシール（図示省略）が組付けられ、ケーシング本体１の下部給水口１ａに製氷水供給路（図示省略）が組付けられ、銅パイプ２に冷媒を循環供給する冷凍回路（図示省略）が接続されることにより、オーガ式製氷機に組み込まれて使用されるようになっている。
【０００４】
【発明が解決しようとする課題】
上記した従来の冷凍ケーシングにおいては、インシュレーションホース４が図２に示したように銅パイプ２の巻き付け固定部２ａに当接する位置まで嵌合された状態にて銅パイプ２の外側が断熱発泡材３にて被覆されることがある。かかる場合には、冷凍ケーシングがオーガ式製氷機に組み込まれて使用される時に、ケーシング本体１の熱膨張・収縮に起因する呼吸作用により銅パイプ２とインシュレーションホース４間の僅かな隙間を通して外気が侵入して、断熱発泡材３にて被覆されている銅パイプ２の巻き付け固定部２ａの回りに凝縮水が溜まることがあり、この水が凍ってケーシング本体１の回りの銅パイプ２の巻き付け固定部２ａを潰すおそれがある。
【０００５】
【課題を解決するための手段】
本発明は、上記の問題に対処するため、円筒状のケーシング本体の外周面にその両端部を除いて螺旋状に巻き付けて固定した銅パイプと、該銅パイプの前記両端部の各所定部位に断熱性のインシュレーションホースを嵌合被覆した状態にて前記ケーシング本体の外周に一体的に発泡成形された断熱発泡材とにより構成した冷凍ケーシングにおいて、前記銅パイプの螺旋状に巻き付けられた部分から離間した両端部の各所定部位に巻き付けて接着した断熱性テープに前記インシュレーションホースの接続端部を位置決め固定して、同インシュレーションホースの接続端部と前記断熱性テープの一部及び同断熱性テープの内側に位置する前記銅パイプの各端部が前記断熱発泡材に接着された部分にて外気の侵入が阻止されるようにしたことを特徴とする冷凍ケーシングを提供するものである。
【０００６】
【発明の作用・効果】
上記のように構成した本発明による冷凍ケーシングにおいては、前記銅パイプの螺旋状に巻き付けられた部分から離間した両端部の各所定部位に巻き付けて接着した断熱性テープに前記インシュレーションホースの接続端部を位置決め固定して、同インシュレーションホースの接続端部と前記断熱性テープの一部及び同断熱性テープの内側に位置する前記銅パイプの各端部が前記断熱発泡材に接着された部分にて外気の侵入が阻止されるようにしたことにより、当該冷凍ケーシングの使用時におけるケーシング本体の熱膨張・収縮に起因する呼吸作用により銅パイプの端部外周面とインシュレーションホースの内周面間の僅かな隙間を通して外気が侵入しても、その外気の侵入が的確に阻止されて、ケーシング本体の外周面における銅パイプの巻き付け固定部の周りに凝縮水が溜まることはなく、銅パイプの巻き付け固定部が凝縮水の凍結によって潰されることを防止することができる。
【０００８】
また、本発明の実施にあたって、前記断熱性テープとして、接着剤付きの柔軟性断熱材からなるテープを使用した場合には、ケーシング本体の外気に対する断熱効果を十分に確保することができるとともに、テープを銅パイプの所定位置に接着する作業が容易となり、インシュレーションホースの組付け作業の改善を図ることができる。
【０００９】
【発明の実施の形態】
以下に、本発明の一実施形態を図面に基づいて説明する。図１は本発明をオーガ式製氷機の冷凍ケーシング（内部にオーガが周知のように回転可能に組付けられる）に実施した実施形態を示していて、この実施形態の冷凍ケーシング１０においては、円筒状のケーシング本体１１の外周に銅パイプ１２を両端部を除いて螺旋状に巻き付けてはんだ等でろう付け固定した後に、銅パイプ１２の両端部の所定部位を除いて銅パイプ１２の巻き付け固定部１２ａ等の外側を断熱発泡材１３で被覆してある。なお、断熱発泡材１３での被覆は、従来と同様に、銅パイプ１２等を組付けた状態のケーシング本体１１を所定の型（図示省略）にセットした後に、同型内に断熱発泡材１３を注入して発泡させることにより行われている。
【００１０】
また、冷凍ケーシング１０は、図２に示した従来例と同様に、ケーシング本体１１内に駆動装置（図示省略）によって回転駆動されるオーガ（図示省略）が組付けられ、ケーシング本体１１の上端に押圧頭、カッター、氷放出路等（図示省略）が組付けられ、ケーシング本体１１とオーガの下部間に水密用メカニカルシール（図示省略）が組付けられ、ケーシング本体１１の下部給水口１１ａに製氷水供給路（図示省略）が組付けられ、銅パイプ１２に冷媒を循環供給する冷凍回路（図示省略）が接続されることにより、オーガ式製氷機に組み込まれて使用されるようになっている。
【００１１】
ところで、本実施形態の冷凍ケーシング１０においては、断熱発泡材１３の発泡被覆前に銅パイプ１２の両端部の各設定位置に接着剤付きで例えばゴム等の断熱材からなるテープ１５を巻き付け固定して、銅パイプ１２の両端から嵌合被覆されるインシュレーションホース１４（銅パイプ１２の外周を断熱被覆する弾力性のあるスポンジホース）がテープ１５にて位置決め固定されるようにしてあり、断熱発泡材１３による発泡被覆時には、インシュレーションホース１４の一端部とテープ１５と銅パイプ１２の端部の一部分の外周に、図示のごとく断熱発泡材１３が直接に接触接着する。
【００１２】
このため、この冷凍ケーシング１０においては、冷凍ケーシング１０がオーガ式製氷機に組み込まれて使用される時に、ケーシング本体１１の熱膨張・収縮に起因する呼吸作用により銅パイプ１２とインシュレーションホース１４間の僅かな隙間を通して外気が侵入しても、その外気は銅パイプ１２に固定されているテープ１５と銅パイプ１２の端部の一部分の外周に直接に接触接着している断熱発泡材１３にて銅パイプ１２の巻き付け固定部１２ａへの侵入を的確に阻止される。したがって、銅パイプ１２における巻き付け固定部１２ａの回りに凝縮水が溜まることはなく、銅パイプ１２の巻き付け固定部１２ａが凝縮水の凍結によって潰されることを防止することができる。
【００１３】
また、インシュレーションホース１４が設定位置に固定されたテープ１５にて位置決め固定されるようにしたため、インシュレーションホース１４の銅パイプ１２への組付性が向上するとともに、インシュレーションホース１４の誤組付（嵌合量の過剰あるいは不足）を防止することができて、インシュレーションホース１４の発泡漏れ止め機能を確実に発揮させることができる。また、テープ１５として接着剤付きで例えばゴム等の断熱材からなるものが採用されているため、ケーシング本体１１の外気に対する断熱効果を十分に確保することができるとともに、テープ１５を銅パイプ１２の設定位置に組付ける作業を容易に行うことができる。
【００１４】
上記実施形態においては、オーガ式製氷機の冷凍ケーシングに本発明を実施したが、本発明は、円筒状のケーシング本体の外周に銅パイプを両端部を除いて螺旋状に巻き付け固定した後に、銅パイプの両端部の所定部位を除いて銅パイプの外側を断熱発泡材で被覆するようにした種々な冷凍ケーシング（例えば、アイスクリーム製造機の冷凍ケーシング）においても同様に実施し得るものであり、上記実施形態に限定されるものではない。
【図面の簡単な説明】
【図１】  本発明をオーガ式製氷機の冷凍ケーシングに実施した一実施形態を示す部分破断正面図である。
【図２】  オーガ式製氷機の従来の冷凍ケーシングを示す部分破断正面図である。
【符号の説明】
１０…冷凍ケーシング、１１…ケーシング本体、１２…銅パイプ、１２ａ…巻き付け固定部、１３…断熱発泡材、１４…インシュレーションホース、１５…テープ。
【図１】
0003640526.tif 000002
【図２】
0003640526.tif 000003